(57)【特許請求の範囲】
【請求項１】
被検眼を検査する検査光学系と、検者が観察光学系により被検眼を観察しながら検査光学系に対して被検眼をアライメントするアライメント系とを有し、検査光学系及びアライメント系を収納した筐体を備える眼科装置において、被検者の額に当接させる額当てと、前記筐体に取付けられ、該額当てを被検者側に付勢する付勢手段を有するとともに額当てを筐体に対して前後方向に移動可能に支持する支持手段と、段階的に変化する繰り出し位置を超えて額当てが支持手段側に接近すると、その繰り出し位置を超えて被検者側に額当てが移動することを制限する制限手段と、制限手段の制限を解除する解除手段と、を有し、繰り出し位置を段階的に変化させる繰り出し量可変手段と、を備えることを特徴とする眼科装置。
【発明の詳細な説明】
【０００１】
【発明の属する技術分野】
本発明は、被検眼の測定・観察・撮影等を行う眼科装置に関する。
【０００２】
【従来の技術】
他覚式眼屈折力測定装置等の眼科装置では、正確な検査を行う上では被検者の顔（被検眼）を安定させることが望ましい。このため、据え置き型の装置では被検者の顔を支持するヘッドレストを設けているが、手持ち式のような小型の装置においても、検査光学系を備える測定部から前後移動可能な額当てを設けたものが知られている。この額当てはバネなどの付勢手段で、常に一定量だけ前方に押し出される構成とされている。
【０００３】
【発明が解決しようとする課題】
しかしながら、上記のような構成の装置では次のような問題があった。
【０００４】
被検者が奥目の場合、測定部を被検者側に移動させる距離が長くなるので、作動距離のアライメントに手間が掛かり、被検者も負担を強いられることになる。
【０００５】
また、片眼の検査が終了した後に他眼をアライメントする時には、額当ては再度一定の位置まで戻るため、同じだけのアライメント時間が必要となり、検査効率が悪い。
【０００６】
本発明は上記従来技術の欠点に鑑み、被検者や検者に負担をかけることなく、効率良く検査を行える眼科装置を提供することを技術課題とする。
【０００７】
【課題を解決するための手段】
上記課題を解決するために、本発明は次のような構成を有することを特徴とする。
【０００８】
（１）  被検眼を検査する検査光学系と、検者が観察光学系により被検眼を観察しながら検査光学系に対して被検眼をアライメントするアライメント系とを有し、検査光学系及びアライメント系を収納した筐体を備える眼科装置において、被検者の額に当接させる額当てと、前記筐体に取付けられ、該額当てを被検者側に付勢する付勢手段を有するとともに額当てを筐体に対して前後方向に移動可能に支持する支持手段と、段階的に変化する繰り出し位置を超えて額当てが支持手段側に接近すると、その繰り出し位置を超えて被検者側に額当てが移動することを制限する制限手段と、制限手段の制限を解除する解除手段と、を有し、繰り出し位置を段階的に変化させる繰り出し量可変手段と、を備えることを特徴とする。
【００１１】
【発明の実施の形態】
以下、本発明の実施の形態を図面に基づいて説明する。ここでは手持ち型の他覚式眼屈折力測定装置を実施の形態として説明する。
【００１２】
（実施の形態１）
図１は本発明に係る測定装置及び被検者の側面図であり、図２はその上面図である。２は装置本体を示し、その内部には被検者１の片眼の眼屈折力を測定するための測定光学系２０が収納されている。この測定光学系としては、例えば、本出願人による特開平１０−１０８８３６号公報記載のものが使用できる。眼屈折力は被検眼に測定指標を投影し、眼底からの反射光を受光素子により検出し、その検出結果を基に測定するものであるが、この測定光学系自体は本発明と関連が薄いのでその説明は省略する。
【００１３】
測定光学系２０からの光束は測定窓４を通過して被検眼に投射され、眼底からの反射光束は再び測定窓４を通過して内部の光学系に受光される。
【００１４】
３は被検者１の額に当てる額当てである。額当て３は矢印Ａ方向（装置奥側）にスライドするようになっている。測定時には被検者１の額に額当て３を当接させることにより、被検者１の顔に対して測定装置２を安定させながら、適切なアライメント距離を確保できるようになっている。額当て３の前部は、左右の眼をそれぞれ測定するときに、被検者の額の湾曲に適するようにやや丸みを持たせてある。さらにその当接面には額とのフィット感が得られるように、柔らかい樹脂等を取り付けると好ましい。
【００１５】
測定装置２の検者側には液晶ディスプレイ（ＬＣＤ）５が配置されており、測定時はこのＬＣＤ５に映し出される被検眼を観察しながらアライメントを行う。また、ＬＣＤ５には測定データ等の情報が表示される。６は測定や機能の切り替え等を行うためのコントロール部である。
【００１６】
図３は額当て３のスライド機構を説明するための上面図で、図４は図３のＢ−Ｂの断面図である。
【００１７】
額当て３には一体的に移動するスライド板３１と前後方向に延びる平行な２本の平行ロッド１２が取り付けられており、平行ロッド１２のそれぞれの後端は、支持板１３に設けられた穴に挿通されている。平行ロッド１２はスライド時のガイドの役目をする。１１は圧縮バネであり、額当て３と支持板１３の間で、２本の平行ロッド１２に覆うようにして取り付けらている。これにより、額当て３はスライド時に常に前側に付勢され、被検眼と装置の位置関係を安定させて適切な作動距離を確保できる。
【００１８】
スライド板３１の上面中央部には、額当て３の繰り出しを３段階に変化させるための溝３２ａ、３２ｂ、３２ｃが形成されている。この溝にボールプランジャ１５が嵌まることにより、額当て３の動く範囲が制限される。
【００１９】
ボールプランジャ１５は、ノブ１４に取付けられており、ノブ１４は本体カバー１０に形成された溝１６に沿って左右方向に移動でき、溝３２ａ、３２ｂ、３２ｃのどれかの位置を選択することにより、額当て３の繰り出し量を変化させることができる。また、溝３２ｃの距離を短くしておき、額当て３が図１におけるＡ方向にいっぱいまで入った状態で溝３２ｃにボールプランジャ１５をはめれば、額当て３の装置からの繰り出し位置を少なくでき、梱包時や持ち運び時に装置全体をコンパクトにすることができる。
【００２０】
次に、以上のような構成を持つ装置における測定時の動作について説明する。
【００２１】
測定を行うときは、検者は測定装置２を両手で持ち、測定窓４を被検眼の正面に持っていく。ＬＣＤ５には装置本体２内部に収納されているＴＶカメラに撮影された前眼部像が映し出されるので、その画面を見ながら画面中心に前眼部像がくるように、およその位置を合わせておく。次に被検者の額に額当て３を当て、ＬＣＤ５に表示されるレチクルと被検眼に投影されたアライメント用指標が所定の関係になるように（アライメント指標とレチクルは周知のものが使用できる）、上下左右方向と前後の作動距離方向のアライメント調整を行う。
【００２２】
このアライメント時は、測定装置本体２を被検者１方向に動かすと、動かした分だけ額当て３は前述のスライド機構により装置本体２側に移動する。一方、圧縮バネ１１は額当て３に押されて圧縮され、圧縮されたバネは元に戻ろうとするため、ある程度の力で逆に額当て３を押し返す。このため額当て３は常に被検者の額との接触を維持できるので、被検眼との位置関係を安定させることができる。
【００２３】
ここで、東洋人のように、眼が額に対してあまり奥まっていない被検者１ａの場合のアライメント状態は、図５（ａ）に示す側面図の様に、額当て３が被検者方向に長く出ている状態となる。一方、西洋人のように奥目の被検者１ｂの場合は、図５（ｂ）の様に、被検者１ａと比較して額当て３がかなり装置奥側に引っ込んでだ状態となる。すなわち、奥目の人の測定時にボールプランジャ１５を溝３２ａに位置させておくと、額当て３の繰り出し量が最も多いので、額当て３を被検者の額に当て始めてから装置本体２を被検者側に移動させる距離が長くなってしまい、アライメントに時間がかかってしまう。
【００２４】
そこで、被検者１ｂのような奥目の人の測定時には、額当て３を装置本体２側に押し込んだ状態でノブ１４を溝１６方向にスライドさせ、ボールプランジャ１５のはまる位置を溝３２ｂ、もしくは溝３２ｃに切換えておく。額当て３の繰り出し量を少なく設定しておけば、その分被検者の額に当て始めてからの移動距離が短くなり、アライメント時間を短縮することができ、検査を効率良く行うことができる。
【００２５】
このように額当て３を使うことによってアライメント調整ができたら、検者はコントロール部６にある測定スイッチを押して測定を行う。上記のようにアライメントがスムーズに行えるので、測定時の被検者への負担も軽減できる。
【００２６】
（実施の形態２）
実施の形態２は、額当て３が被検者と対向する側へスライドし、作動範囲が段階的に変化する変化点を越えると、その変化点から被検者側に戻らない機構の例である。以下、実施形態１に対して異なる部分のみを説明する。
【００２７】
図６は実施形態２における額当て３のスライド機構の構成を説明する図である。なお、実施形態１と同様な構成要素には同一符号を付し、その説明は省略する。
【００２８】
額当て３にはスライド板４０が一体的に取り付けられており、スライド板４０の上面には、後方側（図の右側）から順に高平面部４２ａ、中平面部４２ｂ、低平面部４２ｃが階段状に形成されている。４３ａ、４３ｂ、４３ｃは各平面における階段状の段差部である。５４はストッパーであり、板バネ５１により、高平面部４２ａ、中平面部４２ｂ、低平面部４２ｃの何れかの平面に常時付勢されている。ストッパー５４は本体カバー１０に軸支された軸５３を中心にして連結棒５２を下側に押すことにより回転するようになっている。
【００２９】
また、額当て３及びスライド板４０には、実施形態１と同様に、２本の平行ロッド１２が取り付けられ、平行ロッド１２には圧縮バネ１１が覆うようにして取り付けらており、額当て３は常に前側に付勢されている。
【００３０】
このようなスライド機構における額当て３の動作について説明する。
図６（ａ）の状態では、額当て３は圧縮バネ１１により前側に付勢されているが、板バネ５１により下側に付勢されているストッパー５４が階段状の段差４３ａを押さえているため、額当て３の繰り出しはこの位置で制限されている。このときが額当て３の繰り出し量が最も多い状態となる。
【００３１】
この状態で、まず、例えば被検者の右眼を先にアライメントして測定する。被検者が比較的奥眼の場合には、額当て３を被検者の額に当て、装置本体２を被検者側に押していくと、ストッパー５４は高平面部４２ａ上を滑り、階段状の段差４３ｂを越えて、中平面部４２ｂ上に至るようになる。図６（ｂ）の状態で右眼のアライメントが完了し、測定を実行したとする。
【００３２】
片眼の測定終了後、そのまま装置本体２を被検者から遠ざけると、額当て３は圧縮バネ１１の付勢力により前側に押し出されるが、このときストッパー５４は中平面４２ｂ上を滑った後、図６（ｃ）の様に階段状の段差４３ｂに当たり、額当て３が前に出ようとするのを止める。
【００３３】
次に、この状態でもう片眼である左眼を測定するためのアライメントを行う。同一被検者の場合、左右眼の作動距離はほぼ同じであるので、左眼の測定においては右眼の時に対して、額当て３の繰り出し量が少ない状態からアライメントが行え、効率良く測定を行うことができる。もちろん、先の実施形態１と同様に、奥目の被検者に対しては、右眼の測定の段階から額当て３の繰り出し量を少なくしておいても良い。
【００３４】
なお、額当て３の繰り出し量が変更された図６（ｃ）の状態から、図６（ａ）の状態に戻すには、連結棒５２のカバー１０から外へ出ている一端を下方向に押せば良い。連結棒５２の他端につけられたストッパー５４は、軸５３を中心として回転するので、段差４３ｂとのロックが外れ、額当て３は圧縮バネ１１の力により前側に押し出される。ストッパー５４は階段状の段差４３ａに当たり、額当て３が前に出ようとするのを止めて図６（ａ）の位置で止まる。
【００３５】
また、額当て３を一番奥まで押し込み、ストッパー５４が階段状の段差４３ｃの位置で止まるようにすれば、額当て３の装置全体からのはみ出し量を少なくでき、梱包時や持ち運び時に装置全体をコンパクトにすることができる。
【００３６】
以上説明した実施形態１、２では額当て３の被検者側への付勢として圧縮バネを使用したが、バネの圧力変化に空気圧や油圧を使用しても良い。
【００３７】
さらに、本実施の形態では手持ち式眼屈折力測定装置を例にとって説明したが、本発明は手持ち式、据え置き型を含めて被検眼を観察、撮影したり、他の測定や検査を行う各種の眼科装置に適用できる。
【００３８】
【発明の効果】
以上説明したように、本発明によれば、奥目の人の検査を効率良く行え、被検者及び検者に対する負担を軽減できる。
【図面の簡単な説明】
【図１】実施の形態の装置及び被検者の側面図である。
【図２】実施の形態の装置及び被検者の上面図である。
【図３】実施の形態１の装置の額当て部の上面図である。
【図４】実施の形態１の装置の額当て部の図３のＢ−Ｂの断面図である。
【図５】実施の形態の装置で被検者が奥目の人、普通の人を測定した場合を比較した側面図である。
【図６】実施の形態２の装置の額当て部の側面断面図である。
【符号の説明】
２  測定装置
３  額当て
１１  圧縮バネ
１２  平行ロッド
１３  支持板
１４  ノブ
１５  ボールプランジャ
１６  溝
３１  スライド板
４０  スライド板
５１  板バネ
５２  連結棒
５３  軸
５４  ストッパー
【図１】
0003810233.tif 000002
【図２】
0003810233.tif 000003
【図３】
0003810233.tif 000004
【図４】
0003810233.tif 000005
【図５】
0003810233.tif 000006
【図６】
0003810233.tif 000007